(57)【要約】      （修正有）【課題】広い視野が得られる球技用のマスクフレームを提供する。【解決手段】防御バーを着用者の目の位置の上と下に、ボールの直径に対して狭く一方の耳部付近からから他方の耳部付近にかけて横水平弧状に２本を梁渡する。顔面に沿った楕円状のフレーム周枠材を最外周縁に外周枠材、その内側に内周枠材を２重に設け、２本の防御バーとで強固な井桁構成を成し、更に上下のバーの中央部より外周にかけて縦あるいは放射状に補助バーをめぐらす。下方の防御バーの両側をクランク状に下方に曲げ外周枠材に接するようにし、視野に映り込み易い内周枠材の上下防御バー間に架かる部位を外周枠材側に後退させる。【選択図】図１
0003167358.tif 000002
【実用新案登録請求の範囲】
【請求項１】
ワイヤー溶接によるマスク面枠体（フレーム）の上下メイン防御バー（主枠棒）の両端部が複数の周縁枠バーにて強固な井桁構造に組まれて支えられ作られた弧状矩形の空間を見通し窓として顔面に着用する球技用捕手マスクおよび審判マスク面枠体（フレーム）に於いて、下方メイン防御バーの両端をクランクに曲げ、更に視野に映り込み易い内周縁枠バーの一部を外周縁枠バー側に後退させて視野空間を広げたマスクフレーム。
【考案の詳細な説明】
【技術分野】
【０００１】  本考案は野球やソフトボール競技の捕手および主審判員が着用するマスクに於いてその前方水平視野内に映り込むフレーム構造材を排除しより快適で広い視野を持ったフレームを提供しようとするものである。
【背景技術】
【０００２】  一説によると健康人が正面を凝視している時の両眼による水平方向視野の広がりは１８０度を越していると言われる。動物としてのヒトに備わった身体能力の一つであり日常生活、特にスポーツ競技では重要な役目を担うものである。近視その他の理由で視力補正眼鏡を必要とするスポーツ選手が好んでコンタクトレンズを選択する理由の一つはメガネレンズ枠（フレーム）が視界の一部に映り込み視界が狭められてしまうのを嫌うからである。野球等球技の捕手や主審判員は危険防止用のためマスク着用が必須であるが、そのフレームの一部が視野内に映り込み水平視野が狭められているのは常に不快に感じられるところであった。フレームに所定の強度を持たせるために水平視野空間内にフレーム枠材を配置せざるを得ない構造上の制約があったからである。
【考案が解決しようとする課題】
【０００３】  球技以外でも剣道やフェンシング等撃剣術では竹刀や剣先が顔面へ進入するのを防ぐために面金やフェイスマスクを着用する。防御用面枠の網目は剣先の鋭さに応じて微細なものとなり、いずれも顔面全体を間断なく覆う形となっている。一方野球等球技用マスクフレームの網目構造は使用球の直径に合わせてかなり粗密で、中央部は水平横長な見通し窓空間となっているのが伝統的な形状である。見通し窓の上下枠は弧状に挿し渡した２本のメイン防御バー（主枠棒）でありその両側端はマスクフレームの周縁枠バーに接合されている。周縁枠は通常外枠と内枠の２条構成である。上下２本のメインバーはその両端部で内外周縁枠バーとの強固な井桁を組みその構造強度のみで固定され支えられている。一見、上下メインバーはそれぞれ額部、顎部に架けて縦横に渡した梁材で強固な構造体を成しているが二つの構造体を定位置に支えているのは内外周縁枠バーと井桁に組まれた接合部の強度によるものである。この結合が脆弱であると上下メインバー間が構造体ごと開閉してしまいボールの進入を易々と許すこととなる。井桁結合部は長い橋桁を根元で片支えしているカンチレバー橋の橋梁に類似している。上下メインバーと外周縁枠バーおよび内周縁枠バーとの交点をそれぞれ力点（作用点）や支点と考えるとそれぞれのモメントアームが長いほど梁としての強度が増しフレーム全体は強固なものとなる。そのため外周縁枠バーに対して内周縁枠バーは有効なモメントアームの長さ分内側を通す必要がある。つまり井桁構造部を充分幅広に組まなくではならず、そのため桁材の一部が視界内に入り込み見通し性が悪くなる。見易さを売り物にするあまりにこの接合部を無計画に狭隘にした製品があったが結果として重大な事故を起こしたという報告を聞いている。
【課題を解決するための手段】
【０００４】  より広い視野を得るため本考案実施例ではフレーム強度の要となる上下メインバーと内外周縁枠バーとで作られた井桁結合部に斜向する枠材を導入しその筋交効果により構造強度を保持しつつ、より狭隘な井桁組構造を可能にするものである。それには強靭なメインバーの一部を筋交となる斜向材とするため、下方メインバーの両端部を下向きに適宜な角度をもってクランクに曲げることで斜向線を取り入れた変形井桁組構造を構成した。更に外周縁枠バーと環状に並行する内周縁枠バーが上下メインバーとクロスして挿し渡しされた部分を切断し外周縁枠バー側にかなり後退させて挿し渡した。現実には下部メインバーがクランクに曲がった分、上部メインバーとの間隔が広がったため、同径の部材を別途成形して挿し渡した。
【考案の効果】
【０００５】  マスクフレームの見通し窓としての弧状矩形の両側部が後退したため、マスクの前方水平視界野の開放的広がりは特筆すべきものがある。加えて下向きにクランクに曲がった下部メインバーは両側の下方視野も大幅に拡充することとなった。
【実施例１】
【０００６】  図１はメインバー側方視野を広げたワイヤー溶接による球技用マスクフレームの実施例の正面図である。図２はその側面図であり、分かり易さのため奥行き方向の詳細をはぶいたものである。
【図面の簡単な説明】
【０００７】
【図１】マスクフレームの正面図。
【図２】マスクフレームの側面図。
【符号の説明】
【０００８】１  上部弧状メインバー部
２  両側部を下向きにクランクに曲げた下部弧状メインバー
３  １より連続するイヤーガード部
４  ３より連続するマウスガード部
５  額部補助バー
６  オーバーヘッドガードを含む上部クランクバー
７  ノーズクランクバー
８  フレーム外周縁枠バー
９  フレーム内周縁枠バー
１０  ９と不連続なフレーム下方内周縁枠バー
１１  ９−１０の内周縁枠線より外周縁枠側に後退させた内周縁枠バー
１２  マスクハーネス先端ベルト受け位置用ワイヤー
【図１】
0003167358.tif 000003
【図２】
0003167358.tif 000004
【手続補正書】
【提出日】平成23年1月26日(2011.1.26)
【手続補正１】
【補正対象書類名】実用新案登録請求の範囲
【補正対象項目名】請求項１
【補正方法】変更
【補正の内容】
【請求項１】
ボールの進入を防ぎ、その顔面への衝突から防御するため着用者の眼前に主たる防御バーを目の位置の上と下に、得ようとする視野のためには充分広く、ボールの直径に対しては充分狭く一方の耳部付近からから他方の耳部付近にかけて横水平弧状に２本を梁渡し、この防御バー間隔を構造的に強固に保持するため顔面に沿った楕円状のフレーム周枠材を最外周縁に外周枠材、その内側に内周枠材を２重に設け、２本の防御バーとで強固な井桁構成を成し、更に上下のバーの中央部より外周にかけて縦あるいは放射状に補助バーをめぐらして構成されたワイヤー溶接による球技用マスクフレームにおいて、下方の防御バーの両側をクランク状に下方に曲げ外周枠材に接するようにし、視野に映り込み易い内周枠材の上下防御バー間に架かる部位を外周枠材側に後退させて視野空間を両側およびその下方部に広げたマスクフレーム。